(57)【特許請求の範囲】
【請求項１】
磁気的又は光学的に画像信号が記録再生されるテープ状あるいは円盤状の記録媒体若しくは半導体メモリを有するカード状の記録媒体が装着され、入力する画像信号を前記記録媒体に記録し又は該記録媒体から画像信号を再生する信号記録再生部と、
前記信号記録再生部に対して着脱可能なカメラ部であって、被写体を撮像して得た画像信号を接続ケーブルあるいは赤外線又は電波による通信手段を介して前記信号記録再生部に出力するカメラ部と、
前記カメラ部の投影面積が最大となる面に着脱可能な液晶モニタであって、前記最大となる面に着脱可能な取付部材と、該取付部材に対して任意の角度で停止可能に回動するモニタ本体とからなり、少なくとも該カメラ部から入力する画像信号に基づいて画像を表示する液晶モニタと、
を備えたことを特徴とする光学系分離型信号記録再生装置。
【請求項２】
前記信号記録再生部はテープカセットが装着されるＶＴＲデッキ部である請求項１記載の光学系分離型信号記録再生装置。
【請求項３】
前記ＶＴＲデッキ部は、ウエストバックに収納可能に略直方体形状をなしていることを特徴とする請求項２記載の光学系分離型信号記録再生装置。
【請求項４】
前記信号記録再生部は、ハードディスク、フロッピーディスク、光磁気ディスク、書き換え型光ディスク及びＩＣカードのうちの何れかの記録媒体が装着され、該記録媒体にディジタル画像信号を記録再生するディジタルスチルカメラを構成する記録再生部である請求項１記載の光学系分離型信号記録再生装置。
【請求項５】
前記カメラ部は、画像信号に基づいて画像を表示するパソコン等の他の機器に接続可能なインターフェースを有することを特徴とする請求項１記載の光学系分離型信号記録再生装置。
【請求項６】
前記液晶モニタは、前記信号記録再生部によって再生された画像信号又は他の画像信号を出力する他の機器からの画像信号に基づいて画像を表示することを特徴とする請求項１記載の光学系分離型信号記録再生装置。
【発明の詳細な説明】
【０００１】
【発明の属する技術分野】
本発明は光学系分離型信号記録再生装置に係り、特にカメラ一体型ＶＴＲやディジタルスチルカメラ等の光学系を有する光学系分離型信号記録再生装置に関する。
【０００２】
【従来の技術】
従来のカメラ一体型ＶＴＲは、どんなに軽量小型化を図っても、その大きさや重量には限度があり、撮影者の負担は軽くなっていない。また、最近でこそパーソナルコンピュータやワードプロセッサーに画像取り込みのハード的手段が装備されてきているため、カメラ一体型ＶＴＲが画像取り込み機器として利用される場合も増えてきている。しかしながら、上述したような多機能を有するカメラ一体型ＶＴＲは価格的にもずいぶん高価なものになり、なかなか新規需要開拓に至っていないのが現状である。
【０００３】
例えば、光学系分離型ビデオカメラとして、ズームレンズを構成する光学系の一部をズームレンズから取り外し、単独に使用可能な結像光学系（単焦点レンズ、センサ及び信号処理回路等）としたものがある（特開平２─２０７６７８号公報）。即ち、単独に使用可能な結像光学系をＶＴＲ本体から分離させることにより、単焦点カメラとして使用することができるようにし、また、この結像光学系をＶＴＲ本体に組み込み、ＶＴＲ本体側の前置光学系と共に使用することにより、ズーム付きカメラとしても使用できるようにしている。これにより、大きな一体型ＶＴＲでは撮影できなかった撮影が可能になると共に、ズームレンズ系と単焦点カメラの両者でレンズ系の一部とセンサ、回路を共有化できるために、部品点数が減り、コスト低減を可能にしている。
【０００４】
また、モニタＴＶ部を有するＶＴＲ部とカメラ部とが分離可能なモニタＴＶ付きカメラ一体型ＶＴＲが提案されている（特公平４─６１５４号公報）。このモニタＴＶ付きカメラ一体型ＶＴＲは、ＶＴＲデッキ部のテープ量監視可能な側面に、該ＶＴＲ部と一体的に構成されるモニタＴＶ部とカメラ部を備え、カメラ部が着脱可能となっている。これにより、カメラによる撮影状態をモニタＴＶによりモニタしつつ、かつ同時にＶＴＲ部による記録を直接テープ量を監視しつつ行うことができる。
【０００５】
【発明が解決しようとする課題】
しかしながら、特開平２─２０７６７８号公報に記載の光学系分離型ビデオカメラは、単独に使用可能な結像光学系をＶＴＲ本体から分離させて単焦点カメラとして使用する場合、カメラ自体は軽くなるが、撮影時にはＶＴＲ本体側のファインダを覗かなければばらず、分離しているために却って使い勝手が悪く、撮影者の負担は軽くならない。
【０００６】
また、特公平４─６１５４号公報に記載のモニタＴＶ付きカメラ一体型ＶＴＲも、カメラ部をＶＴＲ部から外して使用する場合には、モニタＴＶ部がＶＴＲ部側に一体的に設けられているため、上記と同様な問題がある。
本発明はこのような事情に鑑みてなされたもので、上述したような欠点を解消し、撮影者が手軽に撮影でき、かつパソコン、プリンタ等の他の機器に対して用途の拡張が可能な光学系分離型信号記録再生装置を提供することを目的とする。
【０００７】
【課題を解決するための手段】
本発明は前記目的を達成するために、磁気的又は光学的に画像信号が記録再生されるテープ状あるいは円盤状の記録媒体若しくは半導体メモリを有するカード状の記録媒体が装着され、入力する画像信号を前記記録媒体に記録し又は該記録媒体から画像信号を再生する信号記録再生部と、前記信号記録再生部に対して着脱可能なカメラ部であって、被写体を撮像して得た画像信号を接続ケーブルあるいは赤外線又は電波による通信手段を介して前記信号記録再生部に出力するカメラ部と、前記カメラ部の投影面積が最大となる面に着脱可能な液晶モニタであって、前記最大となる面に着脱可能な取付部材と、該取付部材に対して任意の角度で停止可能に回動するモニタ本体とからなり、少なくとも該カメラ部から入力する画像信号に基づいて画像を表示する液晶モニタと、を備えたことを特徴としている。従って、撮影時には前記カメラ部を比較的重量のある信号記録再生部から分離し、カメラ部に着脱可能に設けた液晶モニタを見ながら撮影することができ、撮影者の負担を軽減することができる。
【０００８】
また、前記カメラ部にパソコン等の他の機器に接続可能なインターフェースを設けることにより、パソコン等に対する画像信号の入力手段として使用することができる。更に、液晶モニタを分離して前記信号記録再生部や、プリンタ等の画像信号の出力が可能な他の機器に接続することにより、再生画像の表示手段として使用することができる。
【０００９】
【発明の実施の形態】
以下添付図面に従って本発明に係る光学系分離型信号記録再生装置の好ましい実施の形態について詳説する。
図１及び図２はそれぞれ本発明に係る光学系分離型信号記録再生装置の第１の実施の形態を示す外観斜視図であり、光学系を含むカメラ部の分離状態及び接続状態を示している。この光学系分離型信号記録再生装置は、テープカセット（図示せず）が装着される信号記録再生部としてのＶＴＲデッキ部１０と、光学系２２等を含むカメラ部２０と、液晶モニタ３０とからなり、カメラ一体型ＶＴＲを構成している。
【００１０】
上記ＶＴＲデッキ部１０の上面には凹部１２が形成され、カメラ部２０の下面には凸部２４が形成され、これらの凹部１２と凸部２４とによって、カメラ部２０はＶＴＲデッキ部１０に対して着脱可能になっている。この着脱機構の詳細については後述する。尚、１４はＶＴＲデッキ部１０の操作ボタン群である。
また、ＶＴＲデッキ部１０とカメラ部２０は、接続ケーブル４０により接続され、カメラ部２０で撮影して得た画像信号や音声信号は、接続ケーブル４０を介してＶＴＲデッキ部１０に加えられるようになっている。この接続ケーブル４０は、図２に示すような未使用時には、ＶＴＲデッキ部１０側もしくはカメラ部２０側に設けられてケーブル巻取機構（図示せず）によって巻き取られ、コンパクトな収納形態を採るようになっている。
【００１１】
カメラ部２０は、上記光学系２２及び凸部２４の他に、カメラ信号処理部２６、ズームボタン２８及び撮影ボタン（図示せず）等を含むスイッチ類から構成されている。尚、光学系２２には、撮影状態に応じて光学ズーム倍率を約１２倍程度まで変化させることができるズームレンズが用いられている。
また、液晶モニタ３０は、カメラ部２０の投影面積が最大となる面（図１上ではカメラ部２０の上面）に着脱可能に設けられるとともに、図１上の矢印に示す方向に回動可能に設けられている。そして、カメラ部２０から入力する画像信号に基づいて画像を表示できるようになっている。
【００１２】
次に、ＶＴＲデッキ部１０とカメラ部２０との着脱機構、及びカメラ部２０と液晶モニタ３０との着脱機構について説明する。
図３はカメラ部２０の下面の要部斜視図であり、図４はＶＴＲデッキ部１０の上面の要部斜視図である。図３に示すように、カメラ部２０の下面に設けられている凸部２４には、６つの嵌合部２４Ａ〜２４Ｆが形成されている。これらの嵌合部のうち、凸部２４の周囲の４つの嵌合部２４Ａ〜２４Ｄには、スライド時に係合するためのオーバーハング部が形成されている。また、嵌合部２４Ｆ内には、図示しないロック解除ボタンによって没入する爪２４Ｇが設けられている。
【００１３】
一方、図４に示すように、ＶＴＲデッキ部１０の上面に設けられている凹部１２は、前記カメラ部２０の凸部２４が所定量スライド可能な大きさに形成されている。また、この凹部１２には、凸部２４の６つの嵌合部２４Ａ〜２４Ｆに対応して６つの嵌合部１２Ａ〜１２Ｆが形成されている。
そして、カメラ部２０の凸部２４をＶＴＲデッキ部１０の凹部１２に入れ、カメラ部２０を図３の矢印Ａ方向にスライドさせることにより、嵌合部２４Ａ〜２４Ｄを嵌合部１２Ａ〜１２Ｄに嵌合させ、スライド端で最終的に爪２４Ｇを嵌合部１２Ｆに係合させ、これによりカメラ部２０をＶＴＲデッキ部１０に装着させる。カメラ部２０を外す場合には、ロック解除ボタンによって爪２４Ｇを没入させて嵌合部１２Ｆとの係合を外し、カメラ部２０を装着時と逆方向にスライドさせることにより、カメラ部２０をＶＴＲデッキ部１０から分離させることができる。
【００１４】
図５は液晶モニタ３０をカメラ部２０に装着した状態を示す要部斜視図であり、図６は液晶モニタ３０の未装着状態を示す斜視図である。これらの図面に示すように、液晶モニタ３０は、液晶画面３２Ａを有するモニタ本体３２と、取付部材３４と、モニタ本体３２と取付部材３４とを回動可能に取り付ける一対のヒンジ部３６とから構成されている。
【００１５】
上記取付部材３４の下面には、図６に示すように凹部３８が形成されている。この凹部３８は、図４に示したＶＴＲデッキ部１０の凹部１２と同様に構成されている。また、カメラ部２０の上面には、図３に示したカメラ部２０の下面の凸部２４と同様な凸部（図示せず）が形成されており、カメラ部２０側の凸部と液晶モニタ３０の取付部材３４の下面の凹部３８とによって着脱可能になっている。更に、モニタ本体３２は取付部材３４に対してヒンジ部３６を介して１８０度程度回転でき、かつヒンジ部３６に入れたバネ等の摩擦抵抗により任意の角度で止めることがきるようになっている。更にまた、液晶モニタ３０の未装着時には、取付部材３４を図６に示すように折り畳むことにより、液晶画面３２Ａの汚れや傷付きも防止することができる。
【００１６】
尚、カメラ部２０から液晶モニタ３０に画像信号等を加えるための入出力端子を前記凹部と凸部とに設け、液晶モニタ３０の着脱に連動して接続できるようにしてもよいし、図示しない接続ケーブルによってカメラ部２０と液晶モニタ３０とを電気的に接続するようにしてもよい。
上記構成のカメラ一体型ＶＴＲによって撮影を行う場合には、略直方体形状をなしているＶＴＲデッキ部１０を、図７に示すようにウエストバッグ５０内に収納し、液晶モニタ３０を装着したカメラ部２０のみを把持して撮影する。これにより、従来のカメラ一体型ＶＴＲに比べて把持するカメラ部２０等の小型軽量化を図ることができ、撮影者の負担を軽減できる。
【００１７】
次に、図８により上記カメラ一体型ＶＴＲの内部構成について説明する。
同図に示すように、カメラ部２０は、主として光学系２２と、オーディオ部２３と、カメラ処理部２６とから構成され、ＶＴＲデッキ部１０は、主としてビデオ信号処理部１６と、機構部１７と、制御回路部１８とから構成されている。
カメラ部２０の光学系２２は、撮影レンズ、絞り、ＣＣＤ(Charge Coupled Device) 等から構成され、ＣＣＤからの出力信号はカメラ処理部２６に加えられる。カメラ処理部２６は、ＡＧＣ(Auto Gain Control) 回路、Ａ／Ｄ変換回路、カメラプロセス回路、Ｄ／Ａ変換回路、カメラコントロールマイコン等から構成されている。
【００１８】
光学系２２のＣＣＤからのＣＣＤ出力は、ＡＧＣ回路によって増幅されたのち、Ａ／Ｄ変換回路によりディジタル信号に変換されてカメラプロセス回路に加えられる。カメラプロセス回路では、ＤＳＰ(Digital Signal Processor)等により「ＲＧＢ分離」「γ補正」「シャープネス補正」「色補正」「Ｙ−Ｃ分離化」等の様々な処理が行われる。そして、最終的にＤ／Ａ変換回路で再度アナログ信号に変換され、接続ケーブル４０を介してＶＴＲデッキ部１０内のビデオ信号処理部１６に加えられるとともに、アナログアンプを介して液晶モニタ３０等と接続されるアナログ出力端子に加えられる。尚、ディジタル信号を扱うカメラ一体型ＶＴＲでは、カメラ信号処理回路としては、「ＡＧＣ回路」〜「カメラプロセス回路」まであればよく、カメラ部２０の小型化ができる。
【００１９】
また、オーディオ部２３は、主としてマイクユニットと、ＦＭ変調回路とから構成されている。そして、音声信号はマイクユニットを通し、ＦＭ変調回路でＦＭ変調され、接続ケーブル４０を介してＶＴＲデッキ部１０内のビデオ信号処理部１６に加えられ、最終的に映像信号と同期して磁気テープに記録される。
ＶＴＲデッキ部１０のビデオ信号処理部１６は、映像信号処理回路と、記録再生回路と、記録／再生アンプとからなり、カメラ部２０から入力した映像信号は映像信号処理回路で輝度信号及びクロマ信号に分離され、これらの信号は記録再生回路によって磁気記録に適した記録信号に変換されたのち、記録／再生アンプを介して機構部１７の回転ヘッドドラムに加えられる。これにより磁気テープに映像を示す磁気信号が記録される。
【００２０】
一方、再生時には、磁気テープに記録された映像を示す磁気信号は回転ヘッドドラムによって読み取られ、記録／再生アンプを介して記録再生回路に加えられる。記録再生回路は、この磁気信号を所定のフォーマットの映像信号に復調して液晶モニタ３０等に出力する。尚、ＶＴＲデッキ部１０の制御回路部１８は、バッテリー等の電源を昇圧するＤＣ／ＤＣコンバータ等を含む電源回路、機構部１７を制御するメカ／サーボ制御回路、機構部１７及びカメラ処理部２６を統括・制御するメインマイコン等から構成されている。
【００２１】
次に本発明に係る光学系分離型信号記録再生装置の第２の実施の形態について説明する。
図９及び図１０はそれぞれ本発明に係る光学系分離型信号記録再生装置の第２の実施の形態を示す外観斜視図であり、光学系を含むカメラ部の分離状態及び接続状態を示している。この光学系分離型信号記録再生装置は、円盤状の磁気あるいは光（磁気）記録媒体、例えば1.8 ″程度の大きさのリムーバブル・ハードディスク、１００ＭＢ以上の大容量フロッピーディスク、光磁気ディスク、書き換え型光ディスク、あるいは相変化ディスク、フラッシュメモリを用いたＩＣカード等の記録媒体が装着される信号記録再生部１１０と、光学系１２２等を含むカメラ部１２０と、液晶モニタ１３０とからなり、ディジタルスチルカメラを構成している。
【００２２】
上記信号記録再生部１１０の上面には凹部１１２が形成され、カメラ部１２０の下面には凸部１２４が形成され、これらの凹部１１２と凸部１２４とによって、カメラ部１２０は信号記録再生部１１０に対して着脱可能になっている。この着脱機構は、第１の実施の形態と同様なため、その詳細な説明については省略する。尚、１１４は信号記録再生部１１０を操作するためのスイッチ、１１６は記録媒体の挿入口、１１８は記録媒体の取出しボタン、１２６はカメラ信号処理部、１２８はズームボタン、１４０は接続ケーブルである。
【００２３】
また、液晶モニタ１３０は、カメラ部１２０の投影面積が最大となる面（図９上ではカメラ部１２０の上面）に着脱可能に設けられるとともに、図１上の矢印に示す方向に回動可能に設けられている。そして、カメラ部１２０から入力する画像信号に基づいて画像を表示できるようになっている。尚、液晶モニタ１３０とカメラ部１２０との着脱機構は、第１の実施の形態と同様なため、その詳細な説明については省略する。
【００２４】
次に、図１１により上記ディジタルスチルカメラの内部構成について説明する。  同図に示すように、カメラ部１２０は、主として光学系１２２と、カメラ処理部１２６とから構成されている。
カメラ部１２０の光学系１２２は、撮影レンズ、ＣＣＤ等から構成され、ＣＣＤからの出力信号はカメラ処理部１２６に加えられる。カメラ処理部１２６は、Ａ／Ｄ変換回路、メモリコントローラ、メモリバッファ、信号処理回路、Ｄ／Ａ変換回路等から構成されている。光学系１２２のＣＣＤからのＣＣＤ出力は、図示しないアナログ処理回路により、「γ補正」「ホワイトバランス処理」「色分離」のアナログ処理が行われたのち、Ａ／Ｄ変換器でディジタルデータに変換される。Ａ／Ｄ変換された画像のディジタルデータは、メモリコントローラを介してメモリバッファに格納される。更に、画像のディジタル信号は、信号処理回路で適宜の信号処理されたのち、Ｄ／Ａ変換回路を通してアナログ信号に変換されて液晶モニタ３０等と接続されるアナログ出力端子に出力される。
【００２５】
これにより撮影している画像を液晶モニタ１３０により確認することができる。この信号処理プロセスが、カメラ処理部１２６に最低限含めなければならない信号処理プロセスである。
このように信号処理された信号は、接続ケーブル１４０を介して信号記録再生部１１０に送られる。この信号記録再生部１１０は、ＣＰＵ、ＡＤＣＴ(Adaptive Discrete cosine Transform)、コーダー、インターフェース等から構成されており、カメラ部１２０から入力した画像を示すディジタルデータは、ＡＤＣＴを用いた画像圧縮部に入り、画像の絵柄に応じて「アクティビティ」を計算する。その後、ＤＣＴ変換を行った後、量子化テーブルを用いて量子化し、固定長化を行いデータ圧縮が完了する。なお、画像圧縮に「ＡＤＣＴ」を用いたが、圧縮方法として「ＪＰＥＧ」、「Ｍｏｔｉｏｎ  ＪＰＥＧ」、「ＭＰＥＧ」等の方式を採用しても良い。
【００２６】
このようにしてデータ圧縮された画像データは、インターフェースを介して記録媒体に記録される。
一方、再生時には、記録媒体に記録された画像データがインターフェースを介して読み取られ、データ圧縮された画像データの伸長処理等が行われる。このようにして伸長された画像データは、信号処理回路、Ｄ／Ａ変換回路を通して液晶モニタ３０等に加えられ、ここで画像表示される。
【００２７】
尚、上記実施の形態では、映像信号及び音声信号は接続ケーブルを介して信号の授受を行っているが、接続ケーブルを使用せず、カメラ部と信号記録再生部とにそれぞれ発光／受光素子とを設置し、赤外線通信を行うようにすれば、又は電波の送／受信器を設置し、無線通信を行うようにすれば、より一層携帯性が良化する。
【００２８】
図１２乃至図１８はそれぞれ本発明に係る光学系分離型信号記録再生装置の第３乃至第９の実施の形態を示す概略図であり、光学系分離型信号記録再生装置を構成する信号記録再生部、カメラ部の光学系及びカメラ信号処理部、液晶モニタの各部の未使用時の配置例に関して示している。
これらの図面において、（ア）＝信号記録再生部、（イ）＝カメラ信号処理部、（ウ）＝光学系、（エ）＝液晶モニタを示す。これらに示すように、液晶モニタは、光学系（ウ）の上面、あるいはカメラ信号処理部の上面（イ）、あるいは光学系（ウ）とカメラ信号処理部（イ）の上面のいずれの場合でもカメラ部の最大投影面積内に配置されていれば良い。尚、図１２、図１３、図１６に示す実施の形態の場合には、信号記録再生部がカメラ部の左側面に配置されても良い。
【００２９】
ところで、本発明に係る光学系分離型信号記録再生装置において、分離されたカメラ部は入力機器として単独で、例えばパソコン等の画像入力手段としても使用できるため、カメラ一体型ＶＴＲやディジタルスチルカメラの本来の使用法以外にも広い用途で使用することができ、一台で多用途化が図れるという利点がある。更に、分離された液晶モニタも、例えばプリンター等の画像出力機器に接続することにより、従来のカメラ一体型ＶＴＲで使用されていた液晶モニタとしての利用法以外に種々の用途が広がるという大きな利点がある。
【００３０】
【発明の効果】
以上説明したように本発明に係る光学系分離型信号記録再生装置によれば、信号記録再生部に対して着脱可能なカメラ部、及びカメラ部に対して着脱可能な液晶モニタを用いることにより、撮影時にカメラ部を比較的重量のある信号記録再生部から分離し、カメラ部に着脱可能に設けた液晶モニタを見ながら撮影することができ、撮影者の負担を軽減することができる。また、分離したカメラ部及び液晶モニタ部が独立してパソコンやプリンターにも使用可能であるため、従来に比べて機器の多用途化が図れるという効果を奏する。
【図面の簡単な説明】
【図１】図１は本発明に係る光学系分離型信号記録再生装置の第１の実施の形態を示す光学系を含むカメラ部の分離状態の外観斜視図である。
【図２】図２は図１に示した光学系分離型信号記録再生装置における光学系を含むカメラ部の接続状態を示す外観斜視図である。
【図３】図３は図１に示した光学系分離型信号記録再生装置におけるカメラ部の下面の要部斜視図である。
【図４】図４は図１に示した光学系分離型信号記録再生装置におけるＶＴＲデッキ部の上面の要部斜視図である。
【図５】図５は図１に示した光学系分離型信号記録再生装置におけるカメラ部の下面の要部斜視図である。
【図６】図６は図１に示した光学系分離型信号記録再生装置における液晶モニタの未装着状態を示す斜視図である。
【図７】図７は図１に示した光学系分離型信号記録再生装置の撮影時の使用例を示す図である。
【図８】図８は図１に示した光学系分離型信号記録再生装置の内部構成を示すブロック図である。
【図９】図９は本発明に係る光学系分離型信号記録再生装置の第２の実施の形態を示す光学系を含むカメラ部の分離状態の外観斜視図である。
【図１０】図１０は図９に示した光学系分離型信号記録再生装置における光学系を含むカメラ部の接続状態を示す外観斜視図である。
【図１１】図１１は図９に示した光学系分離型信号記録再生装置の内部構成を示すブロック図である。
【図１２】図１２は本発明に係る光学系分離型信号記録再生装置の第３の実施の形態を示す概略図である。
【図１３】図１３は本発明に係る光学系分離型信号記録再生装置の第４の実施の形態を示す概略図である。
【図１４】図１４は本発明に係る光学系分離型信号記録再生装置の第５の実施の形態を示す概略図である。
【図１５】図１５は本発明に係る光学系分離型信号記録再生装置の第６の実施の形態を示す概略図である。
【図１６】図１６は本発明に係る光学系分離型信号記録再生装置の第７の実施の形態を示す概略図である。
【図１７】図１７は本発明に係る光学系分離型信号記録再生装置の第８の実施の形態を示す概略図である。
【図１８】図１８は本発明に係る光学系分離型信号記録再生装置の第９の実施の形態を示す概略図である。
【符号の説明】
１０…ＶＴＲデッキ部
１２、３８、１１２…凹部
２０、１２０…カメラ部
２２、１２２…光学系
２４、１２４…凸部
３０、１３０…液晶モニタ
３４…取付部材
３６…ヒンジ部
４０、１４０…接続ケーブル
５０…ウエストバッグ
１１０…信号記録再生部
【図１】
0003700868.tif 000002
【図２】
0003700868.tif 000003
【図３】
0003700868.tif 000004
【図４】
0003700868.tif 000005
【図５】
0003700868.tif 000006
【図６】
0003700868.tif 000007
【図７】
0003700868.tif 000008
【図８】
0003700868.tif 000009
【図９】
0003700868.tif 000010
【図１０】
0003700868.tif 000011
【図１１】
0003700868.tif 000012
【図１２】
0003700868.tif 000013
【図１３】
0003700868.tif 000014
【図１４】
0003700868.tif 000015
【図１５】
0003700868.tif 000016
【図１６】
0003700868.tif 000017
【図１７】
0003700868.tif 000018
【図１８】
0003700868.tif 000019